(57)【要約】 【課題】  ガイドレールを用いずとも装飾体を左右に揺動させることなく移動することができる遊技機の可動装飾装置を提供する。【解決手段】モータ２の駆動により移動機構を介して移動される装飾体５を備えた遊技機の可動装飾装置において、前記移動機構は、モータ２と、このモータ２により回動される一対の移動用レバー３と、装飾体５の裏側に配設されて移動用レバー３により回動される一対のバランス用レバー４とを備えるものとして、当該バランス用レバー４の先端同士を係合させて装飾体５を厳正直線運動するようにした。一対のバランス用レバー４を装飾体５の裏面に対向して枢設したうえに、その先端に設けた部分ギア４５同士を噛合させる。【選択図】  図１
2010240041.tif 000002
【特許請求の範囲】
【請求項１】
駆動源の駆動により移動機構を介して移動される装飾体を備えた遊技機の可動装飾装置において、前記移動機構は、駆動源と、この駆動源により同期して回動される一対の移動用レバーと、装飾体の裏側に配設されて移動用レバーにより回動される一対のバランス用レバーとを備え、当該バランス用レバーの先端同士を係合させて装飾体を厳正直線運動するようにしたことを特徴とする遊技機の可動装飾装置。
【請求項２】
一対のバランス用レバーを装飾体の裏面に対向して枢設したうえに、その一端を移動用レバーの先端に軸着し、他端には部分ギアを設けてこの部分ギアを対向するバランス用レバー先端の部分ギアと噛合させた請求項１に記載の遊技機の可動装飾装置。
【請求項３】
二つの駆動源を備え、制御手段によりこれらの駆動源を同期して回転させることを特徴とする請求項１又は２に記載の遊技機の可動装飾装置。
【発明の詳細な説明】
【技術分野】
【０００１】
本発明は、遊技機に設けられ遊技の状態に応じた演出を行うための、遊技機の可動装飾装置に関するものである。
【背景技術】
【０００２】
パチンコ機やスロットマシン等の遊技機には、遊技領域の略中央に変動図柄表示装置が設けられており、興趣を高めるために前記図柄表示装置の表示画面に表示される図柄によってリーチ等の図柄に応じた演出を行っている。また、例えば特許文献１には、装飾部材を作動させることによって遊技の状態に応じた演出を行うことができる可動装飾装置を備えることによって、さらに興趣を高めるようにしたものが開示されている。
【０００３】
上記開示に係るものにおいては、装飾体の両側にそれぞれアームの一端が軸支されており、それぞれのアームを他端を中心として回動させることで、装飾体を上下に移動させている。ここで、アームの一端の軌跡は円弧であり、且つ、装飾体は両側からアームで支えられているので、二つのアームの一端間の距離は変化する。よって、装飾体を上下動させるためには、アームの一端が左右方向に移動可能に装飾体に取り付けられていなくてはならない。そのために、アームの一端にはピンを、装飾体にはピンよりも大きな横長の長穴を備えて両者の間に遊びを設けている。
しかしながら、装飾体のＬＥＤのための配線が左右どちらか片方のアームに装着されていたり、組み付け時のねじの締め付けトルクなどに差があったりすることで、左右の各回動部がまったく同じ抵抗を受けていることはない。そのため、上下動の途中で装飾体ががたついて左右に大きく揺れ動いてしまい遊技の興趣を削ぐことがあった。
【０００４】
上下動の途中における装飾体の左右の揺れを防止するために、特許文献２に記載の発明においては、装飾体の中央付近に摺動板を設けて、この摺動板を取り付けベースに設けた一対のガイドレール間を上下方向にスライドさせている。しかしながら縦型レールや摺動板を用いたものは、構造が複雑で製作コストがかかるうえに装飾体の装飾の自由度を奪いものであった。また、ガイドレールや摺動板は装飾性に乏しく、効果的な演出を行ううえで邪魔になるものであった。
【先行技術文献】
【特許文献】
【０００５】
【特許文献１】特開２００９−０００３０６号公報
【特許文献２】特開２００８−２４５９４１号公報
【発明の概要】
【発明が解決しようとする課題】
【０００６】
本発明は、上記した従来の問題点に鑑み、ガイドレールを用いずとも装飾体を揺動させることなく直線的に移動することができる遊技機の可動装飾装置を提供することを課題とする。
【課題を解決するための手段】
【０００７】
上記の課題を解決するためになされた本発明に係る遊技機の可動装飾装置は、駆動源の駆動により移動機構を介して移動される装飾体を備えた遊技機の可動装飾装置において、前記移動機構は、駆動源と、この駆動源により同期して回動される一対の移動用レバーと、装飾体の裏側に配設されて移動用レバーにより回動される一対のバランス用レバーとを備え、当該バランス用レバーの先端同士を係合させて装飾体を厳正直線運動するようにしたことを特徴とするものである。
【０００８】
上記した発明において、一対のバランス用レバーを装飾体の裏面に対向して枢設したうえに、その一端を移動用レバーの先端に軸着し、他端には部分ギアを設けてこの部分ギアを対向するバランス用レバー先端の部分ギアと噛合させることができる。
【０００９】
また、二つの駆動源を備え、制御手段によりこれらの駆動源を同期して回転させることによって装飾体が厳正直線運動されるようにすることができる。
【発明の効果】
【００１０】
請求項１に係る発明は、先端が相互に係合された左右一対のバランス用レバーにより装飾体の横方向への揺動が制止されるので、装飾体を移動レバーにより厳正直線運動させて直線的に移動させることができる。
請求項２に係る発明は、移動用レバーを回動したときにバランス用レバー先端の部分ギアが対向するバランス用レバー先端の部分ギアとともに回動されるので、左右のバランス用レバーが同期して動作するため、装飾体を揺動させることなく直線的に移動させることができる。
請求項３に係る発明は、二つの駆動源が同期して作動して移動用レバー先端を回動させるので、バランス用レバーの先端を回動させて、装飾体を直線的に移動させることができる。
【図面の簡単な説明】
【００１１】
【図１】センターケース上部に配設された可動装飾装置の正面図である。
【図２】図１の可動装飾装置のＡ−Ａ線断面図である。
【図３】モータと移動用アームの係合状態を示す正面図（ａ）、平面図（ｂ）、側面図（ｃ）である。
【図４】装飾体が降下途中である可動装飾装置の正面図である。
【図５】装飾体が降下された状態の可動装飾装置の正面図である。
【図６】枢軸の好ましい位置を説明する概念図である。
【発明を実施するための形態】
【００１２】
以下に、本発明の実施形態に付いて説明する。
図１、２は、遊技機の変動図柄表示装置の周囲を覆うセンターケース１の上部に配設された可動装飾装置を示す図である。可動装飾装置は、駆動源としてのモータ（ステッピングモータ）２と、移動用レバー３と、バランス用レバー４と、装飾体５とを備える。図１の状態においては、装飾体５は上昇されていて、センターケース１の上部に収納されている。モータ２は、装飾体５の左右に、取付けベース１１に螺着されて配設されている。なお、装飾体５は、ＬＥＤ基板５１とバックプレート５２を備えている。
【００１３】
可動装飾装置の移動機構を図１により説明する。移動機構は、二つのモータ２と、二つのモータ２によりそれぞれ回動される一対の移動用レバー３と、装飾体５の左右に軸着された一対のバランス用レバー４とを備え、それぞれの構成部品が左右対称に配設されている。
【００１４】
移動用レバー３はＬ字形に形成されていて、センターケース１に設けた支軸３１に軸着されている。Ｌ字形の一方の短尺アーム３２はモータ２により回動される。短尺アーム３２の回動により、短尺アーム３２と直交する方向に延出された長尺アーム３３も共に回動される。長尺アーム３３の先端には軸３４が設けられている。移動用レバー３の形状はＬ字形に限定されるものではなく、長尺アーム３３の先端が支軸３１を中心として回動できるものであればよい。なお、長尺アーム３３には、長尺アーム３３を上方に付勢する弾性体としてのバネ６が取り付けられている。
【００１５】
バランス用レバー４もＬ字形に形成されていて、装飾体５の裏側のバックプレート５２に設けた枢軸４１に軸着されている。Ｌ字形の一方の短アーム部４２には、係合孔４３が設けられていて、この係合孔４３に長尺アーム３３の先端の軸３４が嵌め込まれている。バランス用レバー４の他端、即ち長アーム部４４の先端には、部分ギア４５が形成されている。そして、左右対称に配設されたバランス用レバー４の先端の部分ギア４５同士は相互に噛合している。
【００１６】
バランス用レバー４の形状はＬ字形のものに限定されないが、長アーム部４４、枢軸４１、短アーム部４２が一直線に並ばないことが必要である。実施例のように、枢軸４１を中心に直角方向に各アーム部４２、４４が延出しているのが望ましい。
【００１７】
移動用レバー３の長尺アーム３３に対するバランス用レバー４の枢軸４１の好ましい位置関係を、長尺アーム３３の先端が下方に回動する場合を例に図６により説明する。図６において、長尺アーム３３の先端は、支軸３１を中心に、Ｓ１点からＲ点を通ってＳ２点まで円弧を描いて降下する。長尺アーム３３の先端は水平方向には図中ＲＳ３間の距離分移動する。バランス用レバー４の短アーム部４２も長尺アーム３３の降下とともに降下するが、長尺アーム３３の先端に軸着された短アーム部４２は、ＲＳ３の水平移動距離を吸収するため枢軸４１を中心に回動する必要がある。よって、枢軸４１がＲＳ３の中間のＴ点を通ってＲＳ３線に直交する直線ＴＴ１の上にある場合には、短アーム部４２の先端は左右に同じ距離揺動して、長尺アーム３３の円弧運動による位置ズレを補正することができる。したがって、枢軸４１を、ＴＴ１上に位置するように設けることが必要となる。
【００１８】
モータ２と移動用レバー３との係合状態を、図３により説明する。モータ２の軸２１には、軸２１に偏心してクランクピン２２が装着されている。移動用レバー３の短尺アーム３２の端部には凹陥部３５が設けられており、この凹陥部３５にクランクピン２２の先端が遊嵌されていて、クランクピン２２は短尺アーム３２を回動することができる。モータ２の軸２１の近傍には、クランクピン２２の位置検出センサー２３が配置されており、クランクピン２２には、位置検出用の突片２４が設けられている。突片２４はセンサー２３の発する光を遮断等することによってクランクピン２２の初期位置が検出される。
【００１９】
以上のように構成されたものにおいて、大当たりなどの特別遊技状態になった場合には、図１の状態において右側のモータ２が駆動されて、右側の短尺アーム３２が反時計回りに回動される。これによって右側の長尺アーム３３も反時計回りに回動されて、その先端が下方に降下される。他方、左側の短尺アーム３２は時計回りに回動されて長尺アーム３３の先端が下方に降下されるので装飾体５は、図４に示す中間位置を経由して、図５に示す最降下位置にまで下げられることになる。同時に、バランス用レバー４も枢軸４１を中心として回動されつつ下方に降下することとなる。
【００２０】
このとき、二つのモータ２を同期駆動させると、左側の移動用レバー３は右側のものとは左右対称に回動する。バランス用レバー４の先端の部分ギア４５が対向するバランス用レバー４の部分ギア４５と噛合しているので、左側のバランスレバー４も右側のものと左右対称な動作を行う。よって、装飾体５は左右の揺動を制止されて、左右の枢軸４１を結んだ直線とは垂直になる直線Ｐに沿って下方に一線上を降下することになる。
【００２１】
降下完了後、今度は左右のモータ２、２が降下時とは逆回りに回動されるので、左右の移動用レバー３、３も逆回りに回動される。よって、装飾体５は、図４に示す途中の位置を経由して、図５の初期位置にまで復帰されることになる。以上のような作動が繰り返されて装飾体５は直線Ｐに沿って繰り返し移動されることになる。
【００２２】
以上は装飾体が上下に昇降する例について説明したが、本発明において、可動装飾装置を横向きや斜め下向きに取り付けて、装飾体を左右の横方向や斜めの上下方向に移動させることができる。
なお、本発明の実施形態では、駆動源である二つのモータ２を、図示していない制御手段によって同期して回転させることで一対の移動用レバー３も同期して作動させているが、モータ２を一つにし、その駆動を機械的にそれぞれの移動用レバー３に伝達することで、これらの移動用レバー３も同期して作動させることができる。
【符号の説明】
【００２３】
２  モータ、３  移動用レバー、４  バランス用レバー、５  装飾体、４５  部分ギア、
【図１】
2010240041.tif 000003
【図２】
2010240041.tif 000004
【図３】
2010240041.tif 000005
【図４】
2010240041.tif 000006
【図５】
2010240041.tif 000007
【図６】
2010240041.tif 000008